(57)【要約】【課題】容易で、素早く、改良された校正を可能とする構造の機械式ピペットを提供する。【解決手段】 吸引液体の容積値を調節可能な機械式ピペットは、ハンドル（１）、ノズル（３）、イジェクタ（２）、機械式カウンタ、機械式カウンタ駆動機構および校正機構を有する。イジェクタ（２）が、回転軸がピペット軸に垂直であり、かつ回転軸がピペットにおける押しボタン（４）の反対側に位置する手動レバーを備え、押しボタン（４）が少なくとも１つの接触面（４ｃ）を有する。【選択図】図１
2016052657.tif 000002
【特許請求の範囲】
【請求項１】
機械式ピペットであって、ハンドル（１）、
吸い上げおよび排出機構を有するノズル（３）、
前記ノズル（３）上に取り付けられ、前記ハンドル（１）の上部において押しボタン（４）を有するイジェクタ（２）、
カウンタ軸（２４）を有し、調節されたプランジャ作用ストロークに依存してピペットにより吸い上げられた液体の容積値を表示するためのリボルバアセンブリを有する機械式カウンタ、
機械式カウンタ駆動機構、並びに
校正機構、
を有し、
前記イジェクタ（２）が、回転軸がピペット軸に垂直であり、かつ該回転軸がピペットにおける前記押しボタン（４）の反対側に位置する手動レバーを備え、前記押しボタン（４）が少なくとも１つの接触面（４ｃ）を有することを特徴とするピペット。
【請求項２】
前記イジェクタ（２）が、前記イジェクタ（２）に連結されたスリーブ（３８）と協働するフレーム（３７）を有し、該フレーム（３７）が、前記ピペット軸に関して対称的に配置され、前記ハンドル（１）中で長手方向に誘導される、２つのアーム（３７ａ）を備えることを特徴とする請求項１記載のピペット。
【請求項３】
前記機械式カウンタ駆動機構が、歯付きホイールリム（１４ａ）を有する調節スリーブ（１４）、二重ギア（１６）を有する歯付きギア、および前記カウンタ軸（２４）上に回転可能およびスライド可能に取り付けられたギアホイール（１７）を有し、該ギアホイール（１７）が、前記リボルバアセンブリに取り付けられた解除可能なクラッチ（１８）と協働することを特徴とする請求項１または２記載のピペット。
【請求項４】
前記機械式カウンタが、前記カウンタ軸（２４）に沿って前記機械式カウンタの構造要素を連続的に相互に押圧するための、追加の弾性手段を有することを特徴とする請求項１または２項記載のピペット。
【請求項５】
前記機械式カウンタが、前記カウンタ軸（２４）に沿って前記機械式カウンタの構造要素を連続的に相互に押圧するための、追加の弾性手段を有することを特徴とする請求項３記載のピペット。
【請求項６】
前記追加の弾性手段が、前記ギアホイール（１７）の下に配置されるカウンタバネ（１９）を有することを特徴とする請求項５記載のピペット。
【請求項７】
前記ロック機構が、ピペットの調整モードとピペッティングモードとの間の過渡位置で、前記調節機構の調節ノブ（５）をユーザが調節することを排除するためのラチェット機構を備えたことを特徴とする請求項１から６いずれか１項記載のピペット。
【請求項８】
前記ラチェット機構が、前記調節ノブ（５）上に形成され、ピペットの調整モードにおいて調節ネジ（１２）の溝（１２ｃ）と協働する、ラチェット（５ｂ）を有することを特徴とする請求項７記載のピペット。
【発明の詳細な説明】
【技術分野】
【０００１】
本発明は、液体を移動および分配するよう設計された、吸引液体の容積値を調節可能な機械式ピペットに関する。
【背景技術】
【０００２】
吸引液体の容積値を調節可能な電動および機械式ピペットが知られており、これらは、ハンドルの上部およびノズルの下部に交換可能チップのための円錐端を備え、それらと連結されて互いに協働する、ピペットにおいて異なる機能を実現する機構もまた備える。この機構とは、すなわち、ピペット交換可能チップ放出機構、吸上げおよび排出機構、プランジャ作用ストローク調節機構、プランジャ作用ストローク調節機構のロック機構、ピペットにより吸い上げられる液体容積値を示す機械式カウンタの駆動機構、および校正機構である。
【０００３】
ピペット交換可能チップ放出機構は、ピペットハンドルの上部に取り付けられたイジェクタ押しボタン、および少なくともその下端によってピペットノズル上に取り付けられたイジェクタを有し、それらの間に、押しボタンからイジェクタ上へ力を伝える中間手段を有する。この機構により、ピペットチップが破損または損傷された場合に必要である、あるいは作業中の液体容積値を変える必要がある場合に、ピペットチップの交換が可能となる。
【０００４】
吸上げおよび排出機構は、ピペッティングロッドを介してプランジャと連結されるピペッティングボタンを有し、プランジャはピペットノズル中に配置され、ピペットのピペッティングモード（PIPETTING MODE）におけるその位置から上部位置へスライド可能である。プランジャは、ユーザが手動でピペッティング押しボタンに加える力により、交換可能チップの方向へ駆動される。プランジャは、ピペッティングモードにおいてピペッティングバネ力により反対方向に、プランジャ作用ストローク調節機構に取り付けられた終端に至るまで駆動される。
【０００５】
調整モード（ADJUSTMENT MODE）において、プランジャ作用ストロークの上部ストップの位置は、プランジャ作用ストローク調節機構の調節ネジの駆動アセンブリにより変化する。プランジャ作用ストローク調節機構の駆動アセンブリは、ユーザが外からアクセスできる駆動部材を有する。プランジャ作用ストローク調節機構は、ピペッティングモードにおいて液体のピペッティング中に行われるプランジャ移動の長さを制御する。
【０００６】
所望の吸い上げられた液体容積値の容易な調整を確実にするため、調整モードにおけるプランジャ作用ストローク調節機構の調節要素をリセットする過程で、設定の変化に必要なトルクはできるだけ小さくなければならない。これに対して、ピペッティングモードにおけるピペットによる操作中の所望の容積値の調整後、このトルクは、ピペットが別の容積値に偶発的にリセットされる危険を除外するように十分大きくなければならない。これにより、ピペットにおいて、プランジャ作用ストローク調節機構に及ぼされるブレーキトルクを変えるための追加の機構、または、プランジャ作用ストロークの長さを特定する位置であるプランジャ作用ストローク調節機構に取り付けられた停止位置を変える要素からプランジャ作用ストローク調節機構の外部調節要素を取り外すための追加の機構を適用することが必要となる。
【０００７】
したがって、調整モードにおいて予め設定された、吸い上げられた液体の所望の容積値が、ピペッティングモードにおけるピペットによる操作中に偶発的にリセットされるのを防ぐために、ピペットは、プランジャ作用ストロークの調節機構をロックするために手動で作動されるロック機構を備える。
【０００８】
既知のピペットにおいて、プランジャ作用ストローク調節機構のロック機構は、解除可能摩擦ブレーキを構成し、より頻繁に利用される。このロック機構は、作動後に、プランジャ作用ストローク調節機構に大きいブレーキトルクを与え、調整モード中にピペットによって前に吸引された液体の所望の容積値がピペッティングモードにおいて意図的でなくリセットされることを防ぐ。ロック機構は同時に、解除後、プランジャ作用ストローク調節機構に与えられる、吸い上げられた液体の所望の容積値の調整に必要な小さいブレーキトルクを提供する。
【０００９】
プランジャ作用ストローク調節機構は、ピペッティングモードにおいてピペットにより交換可能チップへ吸い上げられた、および調整モードにおいてプランジャ作用ストロークの調節によりユーザによって予め設定された、液体容積値を表示するための機械式カウンタとカウンタの駆動機構を介して係合される。したがって、ピペッティングモードにおけるピペッティング中、作用ストロークであるノズル中のプランジャ移動の長さは、調整モードにおけるプランジャ作用ストローク調節機構の構造要素をユーザがリセットすることにより変わる。これにより同時に、予め設定された所望の液体容積を示すカウンタの表示が変わる。
【００１０】
しかしながら、多くの場合、ピペットにより吸い上げられた実際の液体容積値はカウンタにより表示されるものと異なる。実際の吸い上げられた液体容積値とカウンタにより表示される液体容積値との間のこの差異は、ピペット精度偏差と称される。これらの不精密性に影響を与える多くの要因があり、特に、交換可能チップの形および磨耗、交換可能チップ中の液体とプランジャとの間の空気の死空間、調節機構をカウンタと係合する係合機構の構成要素の相互配置、並びに吸い上げられる液体の特性およびピペットの操作条件が含まれる。ピペット精度偏差の補正のために、ピペットの校正が校正モード（CALIBRATION MODE）において行われる。
【００１１】
校正のために、ピペット校正モードにおいてピペット精度偏差の修正を可能とする校正機構をピペットに提供する。
【００１２】
特にピペットにより吸い上げられる液体容積値をカウンタディスプレイに表示する既知の電動ピペットにおいて、ピペット校正は、プランジャ作用ストロークの所定の設定においてピペットにより吸い上げられた実際の液体容積値にカウンタ表示を変えることにより実現され、一連の液体吸上げの完了および重量測定の完了に基づいて、およびさらに、所望の液体容積値とピペットにより吸い上げられた実際の値との間の差異である計算されたピペット精度偏差に基づいて、これらの実際の液体容積値が特定される。
【００１３】
一方、既知の機械式ピペットにおいては、認識困難なために、ピペット精度偏差の修正は、プランジャ作用ストローク調節機構が機械式カウンタから外されている場合にのみ可能である。その結果、プランジャ作用ストロークの設定が、機械式カウンタの表示を変えることなくリセットされるか、または機械式カウンタの表示が、プランジャ作用ストロークの設定を変えることなくリセットされる。ピペット精度偏差の修正のために、追加のノブまたは校正レンチがしばしば使用され、これらのリセットにより、ピペットによって吸い上げられた液体容積値をカウンタ表示に合わせることが可能となる。
【００１４】
特許文献１から、プランジャ作用ストローク調節のための調節機構、排出された液体容積を表示するための機械式カウンタ、および調節機構と機械式カウンタとの間に配置された、排出された液体の実際の容積値とカウンタ上に表示された液体容積値との間の差異であるピペット精度偏差を修正するための係合機構から構成されるピペットが知られている。調節機構をリセットすることにより、および正確には、プランジャ作用ストローク調節機構に取り付けられピペッティングモードにおいてプランジャがその上に静止する上部ストップの位置を変えることにより、係合機構を取り外しピペット精度偏差を修正するための切替え装置をピペットに提供する。係合機構は、互いに連結した２つのクラッチフェイスギアホイールを有し、調節機構は、それぞれプランジャストロークとなる調節フェイスギアホイールと連結され、機械式カウンタは、それぞれ表示された液体容積となる表示フェイスギアホイールと連結される。第１のクラッチフェイスギアホイールは、調節フェイスギアホイールとかみ合い、第２のクラッチフェイスギアホイールは、表示フェイスギアホイールとかみ合う。クラッチフェイスギアホイールは、同軸上に配置され、バネの上に乗り、切替え装置によってバネ作用の方向と反対の方向に軸に沿って移動可能であり、少なくとも１つのフェイスクラッチから外れる。このピペットにおいて、プランジャ作用ストローク調節機構は、解除可能な連結を介して機械式カウンタに連結され、これは、機械式カウンタ表示を変えることなくプランジャ作用ストロークをリセットする前に外される。ピペッティングおよび調整モードにおいて、調節機構と機械式カウンタとの間の係合機構は連続的に係合されるのに対し、校正モードにおいては、係合機構は外され、それによりカウンタ駆動機構も外される。
【００１５】
DISCOVERYの商標の下で、PZ HTL S.A.社により製造される機械式ピペットも知られており、これにおいてはプランジャ作用ストローク調節機構の調節ネジは、機械式カウンタと取外し不可能に連結される。調節ネジは、ピペットハンドルに取り付けられたノブ中に入りながら、調節機構に取り付けられる上部ストップの位置を変化させ、吸上げおよび排出機構のプランジャと協働する。下部ストップの位置は一定である。そのような構造により、このピペットの校正のために、カウンタ表示と吸い上げられた液体の実際の容積値との間の不一致が観察されると、調節ネジの角度位置を変えずに上部ストップ位置を変える必要がある。これは、調節ノブに取り付けられる校正押さえボルトにより可能である。校正押さえボルトの角度位置を変えることにより、調節ネジの固定された一定の角度位置において上部ストップ位置、およびそれによりカウンタ表示が変化する。したがって、実際の吸い上げられた液体容積値をカウンタ表示と調和させることが可能である。
【００１６】
上記で示された機械式ピペットにおいて、正確な校正は、カウンタ表示にプランジャ作用ストロークを適合させることにあるが、これは、しかしながら、ピペットがカウンタにより表示される液体容積値を吸い上げるように調節ノブまたは追加の校正押さえボルトによって調節機構の調節要素が回転されるべき角度を計算することを必要とする。これらのピペットは、各調節要素の回転角度の一連の追加の評価を行う必要がある。したがって、全ての校正中に、ピペットにより吸い上げられた液体の容積値において所望の変化を得るためにどの角度で調節ノブまたは校正押さえボルトが回転されなければならないかを計算するために、操作説明書を使用する必要がある。これは、ユーザにとって不便で厄介である。その上、行った校正の正確性をチェックしなければならない。カウンタ表示と実際の吸い上げられた液体容積値との間が大きく違っている場合、ピペットの校正をワンステップで行うことはおそらく不可能であり、正確な校正のためユーザが再度追従するために上記の行動を数回繰り返す必要があるであろう。
【００１７】
さらに、Transferpette（登録商標）Sの下で市場に出るBRAND社の機械式ピペットが知られる。このピペットにおける校正は、プランジャ作用ストロークの所定の設定においておよびこの設定を変えずに、ピペットにより吸い上げられた液体の実際の容積値にカウンタ表示を適合させることにある。プランジャ作用ストロークの所定の設定におけるピペットにより吸い上げられた液体の実際の容積値は、一連の液体の吸上げおよびその重力測定、並びにその後に評価されるピペット精度偏差、すなわち所望の液体容積値とピペットにより吸い上げられた液体の実際の容積との間の差異、の計算に基づいて特定される。校正のために、このピペットにおいて、プランジャ作用ストローク調節機構を前もってカウンタから取り外す必要があり、これによってピペットプランジャ作用ストロークの設定の変化が同時に防止され、それによりピペットによって吸い上げられた液体の容積値の変化もまた防止される。
【００１８】
このピペットにおいて、調節機構に取り付けられ吸上げおよび排出機構のプランジャと協働する上部ストップの位置は、調整モードにおいて形状ロッドを介して上部ストップと連結される調節ノブによって回転することにより変えられる。下部ストップの位置は変化しない。調節ノブはさらに、下部に位置する歯付きホイールリムを介して機械式カウンタと固定して連結されている調節スリーブに固定される。上部において、調節スリーブは、調節ノブと連結された形状ロッドに調節スリーブを取外し可能に連結するためのギアクラッチを備える。調節ノブは、上端位置と下端位置との間をピペット軸に沿って移動可能である。下端位置における調節ノブは、調節機構の上部ストップと連結され、調節スリーブと連結される、すなわち、カウンタと連結される。このピペットは調整モードにある。上端位置における調節ノブは、上部ストップから取り外されるが、調節スリーブと連結されたままである、すなわち、カウンタと連結されたままである。このピペットは校正モードにある。そのようなピペットの構成により、ピペッティングモードにおいてプランジャの軸方向移動を制限する上部ストップの位置を変えずに、およびそれによりピペットによって吸い上げられた液体の容積値を変えずに、機械式カウンタの表示を変えることが可能となる。調整モードから構成モードへピペットを切り替えるために、調節ノブを上方へ移動しなければならない。
【００１９】
所定のプランジャ作用ストローク設定においてピペットにより吸い上げられた液体の実際の容積値へカウンタ表示を変えることにより行われるピペット校正の上記の態様は、吸い上げられた液体の正確な容積値を得るために校正ノブが回転されなければならない角度をさらに計算する必要がないため、機械式カウンタ表示を変えずにプランジャ作用ストローク設定が適合される従来のものよりも、ユーザにとって容易である。吸い上げられた液体およびその重力測定の数値に基づいて所定のプランジャ作用ストローク設定で特定される表示を、機械式カウンタ上の実際の容積値に変えることで十分である。
【００２０】
しかしながら、BRAND社の上記の機械式ピペットにおいて、調節機構に取り付けられた調節ノブと上部ストップとの間に用いられる連結の構造によって、上部ストップ位置の不都合で意図的でないリセットが比較的容易に生じ、上部ストップの位置がプランジャ作用ストロークを特定する。したがって、ピペッティングモードまたは調整モードから校正モードへのおよびその逆のピペットの切替えの過程で、調節ノブを上部ストップから取り外すおよびその後上部ストップに係合する間に、液体容積値の設定が意図的でなく変わることが、非常にしばしば観察される。例えば調節ノブの上方への移動が偶発的に小さすぎるまたは下方への移動が一時的に不完全であるために完全な取外しが行われなかった場合、あるいは取外しおよびその後の再配置の過程で一次的な係合が生じる場合、協働する構造要素の互いの構成が意図的でなく変化し、これによってプランジャ作用ストロークの設定、すなわち吸い上げられた液体の容積値が不都合で制御されずに変化し、それによりピペットの不正確な校正が起こる。
【先行技術文献】
【特許文献】
【００２１】
【特許文献１】独国特許発明第４３３５８６３号明細書
【発明の概要】
【発明が解決しようとする課題】
【００２２】
本発明の主な目的は、容易で、素早く、改良された校正を可能とする構造の機械式ピペットを提供することである
本発明の第２の目的は、ピペット精度偏差の修正のための校正機構を機械式ピペットに提供することであり、この校正機構は、ピペットにより吸い上げられた液体の容積値の設定が偶発的に変わることを排除するよう設計される。
【００２３】
本発明の次の目的は、カウンタ構造要素、すなわち構成パーツの寸法および互いの配置が不都合に変わることと無関係にカウンタ表示の信頼性および正確性を保証する構造の機械式カウンタを提供することであり、この不都合な変化は、ピペットの定期的な高圧蒸気殺菌工程中およびピペットの操作使用中に見られる。
【００２４】
本発明の目的は、所望の吸上げ液体容積の調整が行われる際に、調製モードからピペッティングモードへピペットを素早く容易に切り替えることを可能とするプランジャ作用ストローク調節機構のロック機構を備えたピペットを設計することである。同時に、ピペットは、校正モード、ピペッティングモードまたは調整モードから選択されるモードへの操作モードの切替え中に、およびピペッティングモードである主要な操作モード中に、容積値の選択された設定の信頼性および確実性を保証する。
【００２５】
本発明のさらに別の目的は、異なる製造業者から製造されており本発明のピペットにおいて使用できる交換可能チップのポートフォリオを同時に広げながら、チップ放出モード（TIP EJECTION MODE）の実施の合理化のために、イジェクタ押しボタンの移動の過程でイジェクタの長手方向の移動に対してイジェクタを介して交換可能チップへ伝えられる放出の力の好都合な非線形特性を有する改良された構造の放出機構を設計することである。
【発明を解決するための手段】
【００２６】
本発明によるピペットは、使いやすい片手操作性のために高い操作快適性をユーザに提供する。
【００２７】
目指す目的は、以下に示される本発明によるピペットで達成された。
【００２８】
本発明による吸引液体の容積値を調節可能な機械式ピペットは、ハンドルおよびノズルから構成され、以下：
ピペットハンドルの上部に取り付けられたイジェクタの押しボタン、ピペットノズル上に取り付けられたイジェクタ、および、その間に、押しボタンからイジェクタへ力を伝えるための中間手段を有するピペット交換可能チップ放出機構、
ピペットノズルに配置されたプランジャとピペッティングロッドを介して連結されたピペッティングボタンを有する吸上げおよび排出機構、
プランジャの作用ストロークの調節ネジの駆動アセンブリを備えたプランジャ作用ストローク調節機構、
プランジャ作用ストローク調節機構の手動で作動するロック機構、
調節されたプランジャ作用ストロークに依存してピペットにより吸い上げられた液体の容積値を表示するための機械式カウンタ、
機械式カウンタ駆動機構、および
排出された液体の実際の容積値と機械式カウンタ上に表示された液体容積値との間の差異を構成するピペット精度偏差の修正のための校正機構、
と連結され、
ピペット中において、
校正機構が、機械式カウンタに取り付けられて校正モードにおいて機械式カウンタ駆動機構からリボルバアセンブリを完全に取り外す作用をする解除可能連結手段を有し、校正モードへピペットを切り替える切替え手段および校正モードにおいて機械式カウンタ上の液体容積値表示をリセットするリセット手段と係合される。
【００２９】
好ましくは、解除可能連結手段は、カウンタ軸上にスライド可能および回転可能に配置される。
【００３０】
好ましくは、解除可能連結手段は、クラッチギアホイールおよびカウンタクラッチを有する。
【００３１】
好ましくは、連結手段は、カウンタ軸の周りに連結手段の角度位置を変化させるのに必要なトルク値の２段階変更のための技術的手段を有し、トルク値の２段階変更のための技術的手段は、ピペットの調製モードにおいてより少ないトルク値をおよび校正モードにおいてより大きいトルク値を提供する。
【００３２】
好ましくは、トルク値の２段階変更のための技術的手段は、それぞれピペットの調製モードおよび校正モードにおいて、カウンタカバーの弾性クリックと協働するための、上部においてより小さい突出部および下部においてより大きい突出部を有する形状部分を有する。
【００３３】
好ましくは、ピペットを校正モードへ切り替える切替え手段により、機械式カウンタ駆動機構から、連結手段をそこに係合したリボルバアセンブリと共に取り外すことができる。
【００３４】
好ましくは、連結手段は、連結手段の長手方向の突出部を受け取るように長手方向ノッチを、および機械式カウンタのリボルバアセンブリからの第１のリボルバと係合するための突出部を備えたリボルバスリーブを介して、リボルバアセンブリと係合される。
【００３５】
好ましくは、ピペットを校正モードに切り替える切替え手段は、ピペットの外部からアクセス可能であり連結手段と係合されるスライダを有する。
【００３６】
好ましくは、全てのピペット操作モードで偶発的な移動を防ぐために、ピペットを校正モードへ切り替える切替え手段は、好ましくはOリング形状の弾性要素を構成する追加の弾性手段を有する。
【００３７】
好ましくは、校正モードにおいて機械式カウンタ上の液体容積値の表示をリセットするリセット手段は、交差舌を備えた校正レンチのそれぞれの形状端と協働するためのカウンタクラッチの形状端を有する。
【００３８】
好ましくは、校正機構において、カウンタ軸は、カウンタ表示を変えるための校正モードにおけるカウンタクラッチによる回転中に、校正モードからピペッティングモードへ偶発的にピペットが切り替わるのを防ぐためにそれぞれ適合された長さを有する。
【００３９】
本発明による吸引液体の容積値を調節可能な機械式ピペットは、ハンドルおよびノズルから構成され、以下：
ピペットハンドルの上部に取り付けられたイジェクタの押しボタン、ピペットノズル上に取り付けられたイジェクタ、および、その間に、押しボタンからイジェクタへ力を伝えるための中間手段を有するピペット交換可能チップ放出機構、
ピペットノズルに配置されたプランジャとピペッティングロッドを介して連結されたピペッティングボタンを有する吸上げおよび排出機構、
プランジャの作用ストロークの調節ネジの駆動アセンブリを備えたプランジャ作用ストローク調節機構、
プランジャ作用ストローク調節機構の手動で作動するロック機構、
調節されたプランジャ作用ストロークに依存してピペットにより吸い上げられた液体の容積値を表示するための機械式カウンタ、
機械式カウンタ駆動機構、および
排出された液体の実際の容積値と機械式カウンタ上に表示された液体容積値との間の差異を構成するピペット精度偏差の修正のための校正機構、
と連結され、
ピペット中において、
放出機構は、回転軸がピペット軸に垂直であり中間手段を介してイジェクタを作動させる作動力をユーザが押しボタンに加える点とピペット軸の反対側に位置する、手動セカンドクラスレバーを構成し、押しボタンの角度変動中に、押しボタンから中間手段上へ作動力が伝わる点が、押しボタンの直線的な接触面に沿って移動する。
【００４０】
好ましくは、放出機構の中間手段は、イジェクタと連結されたスリーブと協働するフレームを有し、このフレームは、ピペット軸に関して対称的に配置され、ピペットのチップ放出モードにおける放出動作の過程でノズルからの放出中に交換可能チップの負荷対称性を改良するためにハンドル中で長手方向にガイドされる、２つの平行アームを備える。
【００４１】
好ましくは、機械式カウンタは、機械式カウンタ表示の正確性を改良するため、および調製モードおよびピペッティングモードにおける操作使用中にピペットが偶発的に誤って校正することを防ぐために、カウンタ軸に沿って機械式カウンタ構造要素を連続的に互いに押圧するための追加の弾性手段を有する。
【００４２】
好ましくは、機械式カウンタの追加の弾性手段は、クラッチギアホイールの下に配置されるカウンタバネを有する。
【００４３】
好ましくは、駆動機構は、歯付きホイールリムを有する調節スリーブ、二重ギアを有する歯付きギア、およびカウンタ軸上に回転可能およびスライド可能に配置された、リボルバアセンブリに取り付けられた解除可能カウンタクラッチと協働する形状クラッチを有するクラッチギアホイールを有する。
【００４４】
好ましくは、ロック機構は、ピペットの調整モードとピペッティングモードとの間の過渡位置において、調節機構の調節ノブをユーザが調節することを排除するためのラチェット機構を備える。
【００４５】
好ましくは、ラチェット機構は、調節ノブ上に形成されピペットの調整モードにおいて調節ネジの溝と協働するラチェットを有する。
【００４６】
本発明による機械式ピペットの利点は、ピペットにより吸い上げられた液体の実際の容積値に、機械式カウンタ上の容積値の表示を適合させるという発想に基づいて行われる、容易で素早い校正が提供されるということである。ピペット中で、校正機構は、校正モードにおいて機械式カウンタの駆動機構の歯付きギアから機械式カウンタのリボルバアセンブリの取外しを可能とする構造を適用され、一方で、プランジャ作用ストローク調節機構の調節ノブは、プランジャ作用ストローク調節機構のロックド位置（LOCKED POSITION）においてプランジャ作用ストローク上部ストップと変わらず連結したままである。校正モードにおいてまたはピペッティングモードから構成モードへの本発明のピペットの操作モードの変化中に、プランジャ作用ストローク上部ストップの位置が偶発的に変わる可能性が排除される、すなわち、液体容積値の設定が変わる可能性が排除される。協働する機構の必要な取外しは、調節ノブからの機械式カウンタリボルバアセンブリの駆動の取外しにより提供される。そのような解決法により、本発明のピペットにおいて、改良されたおよび合理化された校正が得られた。
【００４７】
本発明のピペットにおいて適用される校正機構の次の利点は、カウンタ表示を変えるためにカウンタクラッチの回転中に校正レンチの圧力の下でカウンタクラッチを下方に押すことにより、校正モードからピペッティングモードへ偶発的にピペットが切り替わる危険が、カウンタ軸のそれぞれ適した長さによって排除された、ということである。
【００４８】
既知のピペットと比較して、本発明による校正機構の別の利点は、ピペット校正モードにおいて、校正機構によって、ユーザが、カウンタ軸の周りのカウンタクラッチ角度位置の変化を制御し、それによりカウンタ上の吸引液体容積値の表示を正しく設定できることが保証される、ということである。
【００４９】
さらに、機械式カウンタは、調整およびピペッティングモードにおけるピペットの操作使用中に、ピペットが偶発的に誤って校正されることを防ぐ追加の技術的弾性手段を有する。
【００５０】
本発明のピペットの利点は、機械式カウンタ構造が、機械式カウンタ構成パーツの寸法変化および相互位置を補正するということであり、この変化は、ピペット高圧蒸気殺菌においておよびピペットの操作使用中に見られる。記載される構造によって、上記の不都合な変化と無関係に、カウンタ表示の信頼性および正確性が保証される。
【００５１】
本発明のピペットの利点は、ピペッティングモードにおいて吸上げられた液体の所望の容積値が調整モードで調節された後に適用されるロック機構が、ピペッティングモードにおいてプランジャ作用ストローク設定が偶発的に変わるのを防止するのに十分大きい、およびそれによってピペットにより吸い上げられた液体の容積値が偶発的に変わるのを防止するのに十分大きいブレーキモーメントを、調節機構に提供するということである。これにより、行われる液体の吸上げの信頼性が増加する。ピペッティングモードから調整モードへのピペットの切替えに必要な大きい力の値により、意図的でない切替えが防止される。
【００５２】
ロック機構の重要な利点は、内部に適用されるラチェット機構により、調整モードとピペッティングモードとの間の中間位置にユーザが調節ノブを配置する可能性が排除されるということである。
【００５３】
本発明のピペットに適用される放出機構の利点は、その構造により、チップを放出するのに不可欠な力を減少することができ、同時にピペット中で大きいイジェクタ作用ストロークが提供されるということである。
【００５４】
放出機構の構造により、チップ放出モードにおいて、ピペット内部構成パーツの一定の温度の値を維持するためにピペットハンドル内で空気が交換され、ピペットによる液体の吸上げおよび排出処理の正確性が増加する。
【００５５】
本発明のピペットにおいて放出機構の手動セカンドクラスレバーの回転軸を、ユーザが指でイジェクタ押しボタンに力を加える側に関してピペット軸と反対側に配置することにより、本発明による放出機構において、大きいイジェクタ作用ストロークが得られ、これによって異なる製造業者により供給される交換可能チップの使用が可能となる。
【００５６】
記載される放出機構を有するピペットの操作は、異なる供給業者により供給されるチップと協働するよう適合するためにこの機構の任意の追加の調節動作を必要としないため、ずっと簡単である。
【００５７】
放出機構により、イジェクタ押しボタン移動中に長手方向のイジェクタの移動に対して、即ち、イジェクタ押しボタンの回転角度に対して、チップ上へイジェクタにより伝えられる放出の力の好都合な非線形特性が提供される。放出機構の予備段階中、協働する円錐面の間、すなわちピペットノズルの外側面とチップ上端の内側面との間の摩擦力を克服するために、イジェクタからチップ上へ与えられる大きい放出の力が必要である。一方、放出動作の最終段階中に、ピペットノズルからのチップの放出のために、小さい放出の力でイジェクタの放出端がより長く長手方向に移動することが必要である。
【００５８】
放出機構の構造において、ピペット軸に関して対称に配置されハンドル中で長手方向にガイドされる２つのアームを備えたフレームを有する中間手段を介して、押しボタンと協働するイジェクタが使用される。この構造により、放出動作中に、中間手段およびイジェクタを介してイジェクタ押しボタンからチップ上へ伝わる力の均一な分配が生じる。
【００５９】
本発明のピペットにおける放出機構の構造は、既知の解決法と比較してずっと単純化され、放出機構は既知の機構よりも少ない数の構造要素を有する。
【００６０】
したがって、組立時間およびピペット製造コストが減少する。
【００６１】
本発明の放出機構を備えたピペットの操作は、ユーザにとってより快適であり能率的である。
【００６２】
上記の放出機構は、セカンドクラスレバー機構の発想に基づいており、その回転軸は、ピペット軸に垂直であり、放出機構を作動する力をユーザが放出機構押しボタンに与える点と反対のピペット軸の側に位置する。放出機構は、本発明以外の構造の機械式ピペットにおいておよび電動ピペットにおいて使用できる。
【００６３】
本発明による機械式ピペットは、ユーザにより片手で便利に操作される。
【００６４】
本明細書に添付される独立請求項１並びに従属請求項２−１１および１４−１８に示されるピペット機構の特徴は、独立請求項１２および従属請求項１３によるピペットの実施の形態においてそれぞれ選択的に含まれてもよい。
【００６５】
本明細書に添付される独立請求項１２並びに従属請求項１３および１４−１８に示されるピペット機構の特徴は、独立請求項１および従属請求項２−１１によるピペットの実施の形態においてそれぞれ選択的に含まれてもよい。
【００６６】
非制限的な実施例として与えられる、本発明の好ましい実施の形態が、添付の図面を参照して示される。
【図面の簡単な説明】
【００６７】
【図１】調節ノブが最下位置にあるロックド位置で、プランジャ作用ストローク調節機構を有するピペッティングモードにある、吸引液体容積値を調節可能な機械式ピペットを全体像で示す図
【図２】カウンタバネによるリボルバ軸の締付けを示す拡大切取り部およびカウンタラチェット機構を示す拡大切取り部と共に、図１のピペットの縦断面図を示す図
【図３】調節ノブが最上位置にあるアンロックド位置（UNLOCKED POSITION）で、プランジャ作用ストローク調節機構を有する調整モードにあるピペットの縦断面図
【図４】カウンタ軸面に支えられている校正レンチを有する機械式カウンタの部分的縦断面図およびこの領域の拡大切取り部と共に、校正モードにあるピペットを全体像で示す図
【図５】ピペットハンドルの内部構造要素の上から見た分解斜視図
【図６】ピペットハンドルの内部構造要素の下から見た分解斜視図
【図７】調節ノブの斜視図
【図８】カウンタクラッチの斜視図および縦断面図
【図９】リボルバスリーブの斜視図
【図１０】スライダの斜視図
【図１１】ブレーキスリーブの斜視図および縦断面図
【図１２】機械式ピペットハンドルの主な組立部品の分解斜視図
【図１３】スライダと協働するハンドルの拡大図
【図１４】イジェクタ押しボタンと協働するハンドルの下から見た拡大図
【図１５】イジェクタの拡大全体図およびイジェクタ押しボタンのＡ−Ａ縦断面図、並びにイジェクタフレームアームの各キャノピ端と協働するキャノピノッチの接触面を示す部分図
【発明を実施するための形態】
【００６８】
好ましいが限定的でない実施の形態における本発明による吸引液体の容積を調節可能なピペットが、図１−１５に示される。通常、このピペットは、ハンドル１およびノズル３、並びにそれらと連結され協働する機械式ピペットの異なる機能を果たす他の機構から構成される。
【００６９】
本発明によるピペットにおいて、交換可能チップ８の改良された放出機構が使用され、これによって、本発明のピペットに重要な操作および構造上の利点が提供される。放出機構は、セカンドクラスレバーを構成し、ピペットハンドル１の上部に回転可能に取り付けられたイジェクタ２の押しボタン４、およびピペットノズルアセンブリを囲むイジェクタ２を有し、それらの間に、押しボタン４からイジェクタ２へ力を伝える中間手段を有する。イジェクタ２の押しボタン４の回転軸は、ピペット軸に垂直であり、放出機構を作動する力をユーザが押しボタン４に与える点とピペット軸の反対側に位置する。放出機構の中間手段は、イジェクタ２に連結されたスリーブ３８と協働するフレーム３７を有する。押しボタン４は、機械式ピペット軸に沿って移動可能なフレーム３７の２つの平行アーム３７ａ上に押圧される。次に、図２および４に示されるように、フレーム３７は、機械式ピペット軸に沿って移動可能なイジェクタ２とネジ込み式接続によって連結されるスリーブ３８上に押圧される。フレーム３７のアーム３７ａは、ピペット軸に関して対称的に配置され、チップ放出モードにおいて、放出動作中にイジェクタ２に沿って交換可能チップ８の誘導の対称性を改良するようにハンドル１中で長手方向に誘導される。
【００７０】
吸上げおよび排出機構は、ピペッティングロッド１１を介して、ピペットノズル３中に取り付けられるプランジャ３３と連結されるピペッティングボタン７を有する。図１および２に示されるように、ノズル３上に、ピペッティングモードを行うために、交換可能チップ８が干渉と共に取り付けられる。
【００７１】
プランジャ作用ストローク調節機構は、調節ネジ１２を介してノズルアセンブリ中に配置されるプランジャ３３の作用ストロークの上部ストップ１３と連結される、調節ノブ５を備える。プランジャ作用ストローク調節機構は、２つの位置、すなわち、図１および２に示されるようなピペッティングモードを行うためのロックドポジション、および図３および４に示されるような調節モードを行うためのアンロックドポジションを有する。
【００７２】
プランジャ作用ストローク調節機構の位置を変えるために、ピペットはプランジャ作用ストローク調節機構のロック機構を有し、これは、ピペット軸に沿っておよびプランジャ作用ストローク調節機構のロックドポジションにおける最下位置とプランジャ作用ストローク調節機構のアンロックドポジションにおける最上位置との間で、調節ノブ５の移動により手動で作動される。ロック機構は、調節ネジ１２のブレーキアセンブリを有し、これは、図５および６に示されるように、調節ノブ５と協働し、ブレーキスリーブ３４の回転を防ぐためにハンドル１のカバー３５のリブ３５ａと協働するための溝３４ｄを有する誘導アーム３４ｃを有するブレーキスリーブ３４、および調節ネジ１２と連結された調節スリーブ１４を有する。本発明のピペットにおいて排除されるそのような回転動作によって、吸い上げられた液体容積値の設定が不都合に変化する。本発明のピペットにおいて適用されるロック機構は、解除可能な摩擦ブレーキを構成し、これは作動後に、プランジャ作用ストローク調節機構上に大きいブレーキモーメントを与え、ピペッティングモードおよび校正モードにおいて偶発的な切替えを防止し、同時に、解除後に、所望の吸い上げられた液体容積値の調節に必要なプランジャ作用ストロークの設定の変化を可能とする。
【００７３】
プランジャ作用ストローク調節機構は、全てのピペット操作モードにおいて、駆動機構の歯付きギアを介して、クラッチギアホイールと連続的に係合および連結され、機械式カウンタのリボルバアセンブリは、ピペットの校正モードにおいて、ピペットの調節モードにおいてリボルバアセンブリを駆動するクラッチギアホイール１７から外される。
【００７４】
本発明のピペットにおいて使用される、調整モードにおけるプランジャ作用ストロークプリセットに従ってピペットにより吸い上げられた液体の容積値を表示するための機械式カウンタの駆動機構は、歯付きホイールリム１４ａを有する調節スリーブ１４、二重ギア１６を有する歯付きギア並びにクラッチギアホイール１７を有する。図５、６および８に示されるように、クラッチギアホイール１７は、カウンタ軸２４上に回転可能およびスライド可能に取り付けられ、その上部において、解除可能カウンタクラッチ１８の各成形下部と協働する形状クラッチ１７ａを有し、今度は、その突出部１８ｅによって、リボルバスリーブ２１の各ノッチ２１ｂと協働する。
【００７５】
実施された液体の実際の容積値とカウンタ上に示された液体の容積値との間の差異を構成するピペット精度偏差を修正するために本発明において適用される校正機構によって、校正モードにおいて既知のピペットに存在する上記の不利な現象が排除される。これは、調節機構の調節ノブ５から上部ストップ１３の駆動部を外さずに、調節ノブ５からカウンタリボルバアセンブリの駆動部を外すことを可能とする構造による。この目的のために、機械式カウンタ中に解除可能な連結手段が配置される。解除可能な連結手段は、校正モードにおいて、リボルバアセンブリ中のリボルバの角度位置をリセットすることにより、プランジャ作用ストロークの所定の設定において吸い上げられた液体容積値の表示を変えるために、機械式カウンタの駆動機構およびプランジャ作用ストローク調節機構からリボルバアセンブリを完全に取り外す作用をする。解除可能な連結手段は、クラッチギアホイール１７、およびカウンタ表示修正前にクラッチギアホイール１７および駆動機構の歯付きギアから取り外されるカウンタクラッチ１８を有する。
【００７６】
ノズル３を有するノズルアセンブリは、ハンドル１の下部へネジとめられ、ノズル３の円錐下部の上に交換可能チップ８が取り付けられる。
【００７７】
本発明によるピペットの全ての機構が、以下のピペットの操作モードの説明と共に詳細に記載されるであろう。
【００７８】
本発明による吸い上げられた液体の容積を調節可能な機械式ピペットは、以下の操作モード、すなわち、調整モード、ピペッティングモード、校正モードおよびチップ放出モードを有する。
調整モード
本発明による機械式ピペットにおいて、吸い上げられた液体容積値は、機械式カウンタ駆動機構の歯付きギアによって駆動される３−または４−位式機械式カウンタ上に表示される。調節スリーブ１４を介して歯付きホイールリム１４ａと連結される歯付きギアは、プランジャ作用ストローク調節機構の調節ノブ５と連結される調節ネジ１２から回転動作を受ける。歯付きギアは、二重ギア１６および形状クラッチ１７ａを有するクラッチギアホイール１７を介して、この回転動作を伝え、同時に、この回転動作をカウンタの３または４つのリボルバ上に拡大させる。リボルバアセンブリのリボルバは、この技術分野において、機械式カウンタのカウンタホイールまたはナンバーホイールとも称される。カウンタのこれらのリボルバは、ピニオン２３、２６、および場合により２８によって駆動される。図面においては、４−位式カウンタを有する本発明によるピペットの実施の形態が示されており、４つのリボルバ２２、２５、２７、２９が３つのピニオン２３、２６、２８によって駆動される。
【００７９】
ピペットにより吸い上げられた液体の容積値の設定を変えるために、ピペットを調整モードに、すなわち、作用ストローク調節機構をアンロックドポジションに切り替える必要があり、したがって、プランジャ作用ストローク調節機構のロック機構を、摩擦ブレーキの解除により解放する必要がある。
【００８０】
図３および図４に示されるように、吸い上げられた液体容積値の調節はピペット調整モードにおいて行われる。図１および図２に示されるピペッティングモードから調整モードへピペットを切り替えるために、図７の拡大図に示される調節ノブ５を、最下位置から最上位置へ、調節ノブ５のラチェット５ｂが調節ネジ１２の溝１２ｃに突入するまで、移動しなければならない（図５および６参照）。調節ノブ５のこの移動によって、プランジャ作用ストローク調節機構のロック機構の調節ネジ１２のブレーキアセンブリのブレーキスリーブ３４が上方に移動する。図１１に拡大して示されるように、ブレーキスリーブ３４は、ヨーク３４ａにより調節ノブ５と係合し、ヨーク３４ａは、調節ノブ５を自由に回転可能にする調節ノブ５の周辺溝５ａ中に位置する。ブレーキスリーブ３４は、誘導アーム３４ｃによってピペット軸に関する回転から保護され、溝３４ｄは、ハンドル１のカバー３５のリブ３５ａと協働する（図１２参照）。
【００８１】
調節ノブ５の最上位置への移動によって、２つのブレーキコーン：図１１に示されるブレーキスリーブ３４のコーン３４ｂおよび図５に示される調節スリーブ１４のコーン１４ｄ、が互いに離れ、その結果これらの２つの円錐面の間の摩擦力が減少する。これによって、ピペットにより吸い上げられた液体の容積値の設定を変えることが可能となる。プランジャ作用ストローク調節機構は、ピペットの調整モードが行われるアンロックドポジションにある。
【００８２】
調節ノブ５が最下位置へ移動されると、ブレーキスリーブ３４のコーン３４ｂと調節スリーブ１４のコーン１４ｄとの間の摩擦力が誘発され、ピペット軸に関して調節スリーブ１４が回転する可能性がなくなる。プランジャストローク調節機構は、ピペットのピペッティングモードが行われるロックドポジションにある。
【００８３】
所望の吸い上げられた液体容積値の設定の遮断は、設定の偶発的な変化を防止して得られた液体吸上げの必要な信頼性を保証するので、機械式ピペットに特に必要とされる特徴である。ユーザにより調節ノブ５に与えられる必要がありピペッティングモードから調整モードへのピペットの切替えに必要な力が高いことによって、意図的でない切替えが防止される。
【００８４】
さらに、本発明のピペットにおいてラチェット機構を適用することによって、ピペットの２つの操作モードの間、すなわち調整モードとピペッティングモードとの間の位置に、ユーザが調節ノブ５を配置する可能性が排除される。本発明のロック機構に適用されるラチェット機構は、調節ノブ５上に形成されるラチェット５ｂを有し、ピペット調整モードにおいてラチェット５ｂは、調節ネジ１２の溝１２ｃと協働する。
【００８５】
本発明による機械式ピペットにおける調整モードは、プランジャ作用ストローク調節機構のアンロックドポジションにおいて行われ、ピペットにより吸い上げられた液体の所望の容積値は、最上位置にある調節ノブ５を回転することにより手動で設定される。調節ノブ５は、調節ネジ１２と連結され、その回転動作により上部ストップ１３の直線的な移動が生じる。図５および６に示されるように、上部ストップ１３は、プランジャ３３の作用ストロークを決定し、調節ネジ１２と協働するナットを構成する。調整モードにおいて、プランジャ作用ストローク調節機構の調節ノブ５および調節ネジ１２によって、上部ストップ１３の位置が変化する。
【００８６】
図４および５に示されるように、上部ストップ１３は、ベアリングスリーブ１５の内表面上で誘導溝１５ａと協働する長手リブ１３ａによって回転から保護される。ネジ１２は、ロック３２によりベアリングスリーブ１５中で軸方向に固定される。ロック３２は、調節ネジ１２の周辺溝１２ａ中およびベアリングスリーブ１５の方形開口部１５ｂ中に位置する。上部ストップ１３は、ピペッティングロッド１１の上部位置のリミッタ−であり、上部ストップ１３の下表面１３ｂ上で周辺舌１１ｂの上表面１１ｃと接する。ピペッティングロッド１１の球状下端１１ａは、ピペットプランジャ３３と接触して作用し、図４に示されるように、ピペットにより吸い上げられた液体の所望の容積値の吸引および排出のための軸方向の移動を行う。調節ネジ１２のリブ１２ｄと協働するノッチ５ｃにより調節ネジ１２と係合する調節ノブ５と共に回転することによって、駆動機構の調節スリーブ１４が回転される。調節スリーブ１４は、調節ネジ１２のリブ１２ｄと協働するノッチ１４ｂにより、調節ネジ１２上に取り付けられる（図５および６参照）。調節スリーブ１４は、その下部において、クラッチギアホイール１７を駆動する二重ギア１６と連結される歯付きホイールリム１４ａを有する。クラッチギアホイール１７は、その上部において、形状クラッチ１７ａを有し、これは、調整モードにおいて、図８の拡大図に示されるように、カウンタクラッチ１８の各成形下部１８ａと協働する。カウンタクラッチ１８は、校正機構の解除可能連結手段の構造要素であり、校正モードにおいて機械式カウンタの駆動機構からリボルバアセンブリを完全に取り外す作用をする。カウンタクラッチ１８は、長手突出部１８ｅによって、リボルバスリーブ２１のノッチ２１ｂと連続的に係合される。図９の拡大図に示されるリボルバスリーブ２１は、突出部２１ａによって、リボルバアセンブリ、すなわちカウンタリボルバ２２から第１リボルバを駆動させる。次に、カウンタリボルバ２２は、ピニオン２３によってカウンタリボルバ２５を駆動する。次に、カウンタリボルバ２５は、次のピニオン２６、２８によって、リボルバスリーブ２１上に回転可能に取り付けられるリボルバアセンブリの次のリボルバ２７、２９を駆動する。
【００８７】
プランジャ作用ストローク調節機構は、全てのピペット操作モードにあり、連続的に作動され、駆動機構の歯付きギアを介してクラッチギアホイール１７と連続的に係合される。機械式カウンタアセンブリは、クラッチギアホイール１７、カウンタクラッチ１８、リボルバスリーブ２１、リボルバ２２、２５、２７、２９およびピニオン２３、２６、２８を有する。機械式カウンタアセンブリは、ワッシャ２０を介してクラッチギアホイール１７の下表面上に軸方向の力を与えるカウンタバネ１９を使用する結果、カウンタカバー３０に連続的に押圧される。そのような構成により、機械式カウンタアセンブリの構造要素の間の全ての間隔が連続的に補正される。さらに、高圧蒸気滅菌の処理中に物質の熱膨張の結果として現れる、構造要素の寸法変化もまた補正される。カウンタバネ１９の適用によって、ピペット操作の過程でおよび高圧滅菌処理の過程で現れる間隔の結果として、カウンタアセンブリの構造要素の位置変化の結果として生じる、起こり得る表示エラーを排除することにより、カウンタアセンブリの操作信頼性が保証される。
【００８８】
カウンタ表示の打切りのため、本発明によるピペットにおける機械式カウンタアセンブリ中で、ラチェット機構が適用される。ラチェット機構は、図２および５に示されるように、カウンタカバー３０の弾性クリック３０ａを有し、図８に示されるように、それぞれ成形されカウンタクラッチ１８上に形成される形状部１８ｃを有する。図２に示されるように、弾性クリック３０ａは、バネ３１の動作の操作により、カウンタクラッチ１８の形状部１８ｃに押圧される。カウンタクラッチ１８の形状部１８ｃの構造により、トルク値の変更が可能となり、このトルクは、ピペットの現在の操作モードに従って、カウンタ軸２４に関してカウンタクラッチ１８の角度位置を変えるのに必要である。本発明のピペットに提供される、トルク値の２段階変更のための技術的手段は、形状部１８ｃを有し、これは、調整モードにおいてカウンタカバー３０の弾性クリック３０ａと協働するためのより小さい突出部１８ｆをその上部に有し、ピペットの校正モードにおいてカウンタカバー３０の弾性クリック３０ａと協働するためのより大きい突出部１８ｇをその下部に有する。
【００８９】
したがって、調整モードにおいて、カウンタクラッチ１８は、二重ギア１６のピニオン１６ａと連結された歯付きホイールリム１４ａをその下部に有する調節スリーブ１４を有する歯付きギアを介して、駆動される。次に、図５に示されるように、二重ギア１６のギア１６ｂはさらに、クラッチギアホイール１７を駆動する。この歯付きギアの全体のギア比は、例えば１０：１であり、したがって、ピペット軸の周りに調節ノブ５が完全に１回転することによって、カウンタ軸２４の周りにカウンタクラッチ１８が完全に１０回転する。
【００９０】
調節ノブ５とカウンタクラッチ１８との間に、１０：１のギア比を有する歯付きギアを適用することにより、カウンタクラッチ１８により伝えられるトルクの１０倍大きくカウンタ軸２４の周りのカウンタクラッチ１８の角度位置を変えるのに不可欠であるトルクを、ユーザが調節ノブ５に与えることが必要になる。カウンタクラッチ１８、およびその結果調節ノブ５におけるトルクを減少するために、形状部１８ｃの上部において、より小さい突出部１８ｆがカウンタクラッチ１８上に形成された。より小さい突出部１８ｆは、形状部１８ｃの下部におけるより大きい突出部１８ｇと異なる。その結果、カウンタクラッチ１８の回転中にカウンタカバー３０の弾性クリック３０ａの曲がりにより生じる抵抗モーメントが減少される。したがって、ピペット調整モードにおいて、カウンタカバー３０の弾性クリック３０ａは、カウンタクラッチ１８の形状部１８ｃの上部と協働し、これは、カウンタクラッチ１８の角度位置を変えるためにより少ないトルクを提供するより小さい突出部１８ｆを有する。そのような構造により、吸い上げられた液体の容積値の設定の変化の結果としての機械式カウンタ表示の変化は、ピペットの調整モードにおいてより容易である。
ピペッティングモード
ピペットのピペッティングモードにおいて、プランジャ作用ストローク調節機構は、ロックド位置になければならず、ロック機構が作動されなければならない、すなわち、記載されるピペットの好ましい実施の形態において、摩擦ブレーキは、図１および２に示されるように作動位置にある。
【００９１】
吸い上げられた液体の所望の容積値の調整後、調節ノブ５を最下位置へ移動することにより、ピペットは調製モードからピペッティングモードへ切り替えられ、プランジャ作用ストローク調節機構はロックド位置に入れられる。この位置において、プランジャ作用ストローク調節機構のロック機構の調節ネジ１２のブレーキアセンブリのブレーキスリーブ３４のコーン３４ｂと調節スリーブ１４のコーン１４ｄとの間に、摩擦力が生じる。
【００９２】
ピペッティングモードを行うために、ピペットは、ハンドル１およびノズル３中に取り付けられる吸上げおよび排出機構を有する。吸上げおよび排出機構は、ピペッティングロッド１１を介してピペットノズル３中に配置されたプランジャ３３と連結されるハンドル１の上のピペット上端においてピペッティングボタン７を有する。
【００９３】
ユーザは、ピペッティングボタン７により、ピペッティングロッド１１を下方に押し、次に、この動きは、ピペッティングロッド１１の球状下端１１ａを介して、ノズル３内のプランジャ３３上に、ピペッティングバネの力に逆らって伝えられる。ピペットのピペッティングモードにおいて、下方への移動中、プランジャ３３はノズル３から端部８の外へ空気を押し出す。ピペッティングロッド１１が押し込まれると、プランジャ３３はその下方位置で停止する。チップ８が液体中に浸かりピペッティングボタン７が開放されると、ピペッティングバネの作用の下でプランジャ３３が上部位置へ戻り、同時に液体をチップ８へ吸引する。チップを空にするために、ピペッティングボタン７は再び下方へ押されなければならず、プランジャ３３は下方位置へ移動する。
【００９４】
ピペットのピペッティングモードにおいて、ピペットにより吸い上げられた液体の実際の容積値がカウンタにより生じされたものとどの程度異なるかが制御される。ピペットにより吸い上げられた液体の実際の容積値とカウンタにより表示された液体容積値との間のこの差異は、ピペット精度偏差と称される。この目的のために、一連の液体吸上げ、およびその後の重量測定が行われ、これに基づいて、実際のピペット吸上げ液体容積値が、プランジャ作用ストロークの所定の調整、すなわち所定のカウンタ表示において、特定される。所望のピペット吸上げ液体容積値と実際の容積値との間の差異が確認された場合、これらの異なる容積値は、ピペット精度偏差の修正により、すなわち、機械式カウンタ表示をピペットにより吸い上げられた液体の実際の容積値に変えることにより、互いに整合される。
校正モード
吸引された液体容積とカウンタに表示された容積値との間に差異が観察される場合、ピペットは校正される。本発明のピペットにおける校正は、機械式カウンタ表示を、吸い上げられた液体の実際の容積値にリセットすることに基づく。
【００９５】
校正モード中、校正機構において、機械式カウンタリボルバアセンブリの駆動部は、機械式カウンタ駆動機構の歯付きギアから完全に外され、プランジャ作用ストローク調節機構の調節ノブ５は、プランジャ作用ストローク調節機構のロックド位置においてプランジャ作用ストロークの上部ストップ１３と連続的に連結されたままである。
【００９６】
取外しは、本発明のピペットにおいて、校正機構においておよび正確には機械式カウンタにおいて、解除可能連結手段を適用することにより可能である。解除可能連結手段は、校正モードへピペットを切り換える切替え手段と係合し、校正モードにおいてカウンタ上の液体容積値の表示をリセットするためのリセット手段とも係合する。
【００９７】
解除可能連結手段は、カウンタ軸２４上にスライド可能および回転可能に取り付けられる。解除可能連結手段は、クラッチギアホイール１７およびカウンタクラッチ１８を有し、連結手段の長手突出部１８ｅを受け取るための長手ノッチ２１ｂおよびカウンタリボルバアセンブリの第１リボルバ２２と係合するためのノッチ２１ｂを備えるリボルバスリーブ２１を介して、リボルバアセンブリと連結される。
【００９８】
校正モードへピペットを切り替えるための切替え手段により、連結されたリボルバアセンブリと共に、駆動機構から連結手段を取り外すことが可能となる。切替え手段は、外部から、好ましくは、校正レンチ３９の平端部３９ａからアクセス可能なスライダ９を有する。
【００９９】
ここに記載される好ましい実施の形態において、リセット手段は、交差舌３９ｂを備えた校正レンチ３９のそれぞれ成形された第２端と協働するために、カウンタクラッチ１８の形状端１８ｄを有する。
【０１００】
ピペット校正を行うために、調節ノブ５は、最下位置に、すなわち、ロック機構が作動されたプランジャ作用ストローク調節機構のロックド位置にあるピペッティングモードと同様に、配置されなければならない。次に、プラグ６をてこで動かすためにイジェクタ２の押しボタン４の穴４ａに平端部３９ａが入れられる構成レンチ３９を用いて、イジェクタ押しボタン４の開口部４ｂからプラグ６が取り出される（図２および５参照）。
【０１０１】
次の段階において、ピペットに備えられた校正レンチ３９の平端部３９ａは、図１０の拡大図に示されるように、スライダ９の長手ソケット９ａ中に導入され、ひっかけつめ９ｂがハンドル１の下方溝１ａからハンドル１の上部溝１ｂへ飛び越すまで、最下位置から最上位置へ移動する。下方溝１ａおよび上方溝１ｂは、図１３中の拡大部に示される。そのようにして、切替え手段により、ピペットが校正モードに切り替えられる。カウンタクラッチ１８の周辺溝１８ｂ中に配置されるスライダヨーク９ｄによりカウンタクラッチ１８に連結されたスライダ９の上方への移動によって、カウンタ軸２４に沿ってカウンタクラッチ１８が軸方向に移動する。カウンタクラッチ１８の軸方向の移動によって、形状クラッチ１７ａからカウンタクラッチ１８が取り外される（図５参照）。
【０１０２】
さらに、校正レンチ３９は、交差舌３９ｂを有する端部により、イジェクタ２の押しボタン４の開口部４ｂ中に挿入され、交差舌３９ｂを有する端部が、図８の拡大図に示されるカウンタクラッチ１８のそれぞれ形成された形状端部１８ｄに当たる。交差舌３９ｂをカウンタクラッチ１８と係合した後、校正レンチ３９により回転することにより、プランジャ作用ストローク調節機構に取り付けられた上部ストップ１３の位置を変えずに、ピペットカウンタにおける表示を変えることが可能である。それにより、ピペットにより吸い上げられた液体の容積値の設定を変えずに、ピペットカウンタにおける表示を変えることが可能である。そのようにして、リセット手段により、液体容積値表示の各変化がカウンタ上で行われる。
【０１０３】
校正モードを行うために、クラッチギアホイール１７の形状クラッチ１７ａの機械式カウンタリボルバアセンブリを、歯付きギアがプランジャ作用ストローク調節機構と連続的に係合したまま、駆動機構の歯付きギアから取り外さなければならない。
【０１０４】
カウンタクラッチ１８の形状端部１８ｄに校正レンチ３９を不適合にまたは不注意に導入することにより、カウンタクラッチ１８が意図的でなく偶発的に下方に押されることによって、ピペットが校正モードからピペッティングモードへ偶発的に切り替えられることを防止するために、カウンタ軸２４は、それぞれ長さを有する。図４および図８に示されるように、このカウンタ軸長さは、カウンタ表示を変えるためにカウンタクラッチ１８により校正モードにおいて回転する過程で、形成された交差舌３９ｂを有する校正レンチ３９の端部が、カウンタ軸２４の表面２４ａで連続的に終端となり同時にカウンタクラッチ１８の形状端部１８ｄの表面１８ｈ上に圧力を与えないように、選択される。そのようにして、ユーザが誤って下方にカウンタクラッチ１８を軸方向に移動することは不可能であり、カウンタクラッチ１８上に意図的でなく圧力を与えることによりピペットがピペッティングモードに偶発的に切り替えられることが排除される。
【０１０５】
校正モードにおいて、 周辺溝１８ｂによりカウンタクラッチ１８と連結されるスライダ９の上方への移動中、カウンタクラッチ１８の移動が起こる。そのような移動によって、カウンタカバー３０の弾性クリック３０ａが、カウンタクラッチ１８の形状部１８ｃの下部との協働を開始する。形状部１８ｃは、カウンタ軸２４の周りの連結手段の角度位置を変えるのに必要なトルク値の２段階変更のための技術的手段を形成する。形状部１８ｃは、その下部において、ピペットの校正モードにおいてカウンタカバー３０の弾性クリック３０ａと協働するためのより大きい突出部１８ｇをそれぞれ備えている。
【０１０６】
このシステムにおいて、校正レンチ３９によるカウンタクラッチ１８の回転中に弾性クリック３０ａが曲がることにより生じる抵抗モーメントは、調整モードにおけるカウンタクラッチ１８上のトルクより大きい。しかしながら、校正モードにおいて、校正レンチ３９による回転中にユーザにより与えられるトルクは、任意のギア比がないために、調整モードにおいて調節ノブ５上に与えられるトルクよりも依然として著しく小さい。しかしながら、校正の精度を増加するために、機械式カウンタ表示の個々の急激な変化は、ユーザによってよく認識されなければならない。したがって、校正モードにおいて、弾性クリック３０ａは、カウンタクラッチ１８の形状部１８ｃの下部上に形成されたより大きい突出部１８ｇと協働し、これによって、校正レンチ３９によるカウンタクラッチ１８の回転中に弾性クリック３０ａの曲がりによって生じる抵抗モーメントが増加する。したがって、超えられなければならず校正レンチ３９による回転中にユーザによって与えられなければならないトルク値が増加する。
【０１０７】
したがって、カウンタ表示の変化の打切りが、本発明による機械式ピペットのユーザによって校正モードにおいてより良好に認知できる。校正モードにおけるカウンタクラッチ１８の角度位置の変化に必要なトルクがより大きいことによって、カウンタ軸２４の周りのカウンタクラッチ１８の角度位置の変化の制御が可能となり、吸い上げられた液体の容積値表示のカウンタにおける正確な調整がより容易となる。
【０１０８】
校正の完了後、すなわちカウンタ表示が実際の吸い上げられた液体容積値と一致した後、上記の動作を逆の順序で行わなければならない。校正レンチ３９を、イジェクタ２の押しボタン４中の開口部４ｂから取り出さなければならず、次に、校正レンチ３９の平端部３９ａをスライダ９の長手ソケット９ａに挿入することにより、ハンドル１の上部溝１ｂからハンドル１の下部溝１ａ中にひっかけつめ９ｂが飛び越すまで、スライダ９を最下位置へ移動しなければならず、同時にカウンタクラッチ１８をクラッチギアホイール１７に係合しておき、それによりピペットを校正モードからピペッティングモードへ切り換える。最後に、プラグ６を、イジェクタ２の押しボタン４の開口部４ｂ中に配置する。
【０１０９】
さらに、本発明によるピペットが偶発的に誤って校正されることを防止するために、全てのピペット操作モードにおいて、校正機構のスライダ９を偶発的な移動から保護する。この目的のために、スライダ９において、半円形ノッチ９ｃを有するリブ上に、Ｏリングの形状の弾性要素３６を構成する追加の技術的弾性手段を取り付ける（図５、１０、１２および１３参照）。  
チップ放出モード
チップ８が使い古されたまたは損傷した場合あるいは液体容積の作業値の変化が必要である場合に、ピペット中のチップ８の交換のために、ユーザが吸引液体と接触するのを避けるために、本発明によるピペットは、ピペットノズル３からの交換可能チップ８の改良された放出機構を備える。
【０１１０】
本発明によるピペットにおいて、ノズル３からチップ８を放出するのに必要な力を減少する技術的解決法が適用される。セカンドクラスレバーの機構を使用することにより、チップ８を取り外すのに必要な力は、ユーザが押しボタン４で操作する方法に依存して距離が変化する、ユーザが力を与える場所と押しボタン４の回転軸との間の距離比、および押しボタン４の回転角度に依存して距離が変化する、押しボタン４の回転軸から、押しボタン４からイジェクタ２へ力を伝える中間手段のフレーム３７のアーム３７ａとの押しボタン４の接触点までの距離から生じる値だけ、減少した。
【０１１１】
本発明の示される好ましい実施の形態において、押しボタン４からイジェクタ２上に力を伝える作用をする、押しボタン４と放出機構のイジェクタ２との間の中間手段として、イジェクタ２と連結されるスリーブ３８と協働するフレーム３７が使用される。
【０１１２】
適用される放出機構の作用の原理は以下のようである：ピペットユーザがピペットからチップ８を放出したい場合、ノズル３が、押しボタン４の開口部４ｂ中にプラグ６が押し込まれる場所にイジェクタ押しボタン４を押圧する。その結果、イジェクタ２の押しボタン４の回転軸の周りで押しボタン４の角度移動が生じる。図５および１２並びに図１４の拡大図に示されるように、それぞれ形成されるハンドル１の円筒陥没１ｃ中に、および図１２に示されるように、ハンドル１のカバー３５の円筒陥没３５ｂ中に、イジェクタ２の押しボタン４の円筒サイドピン４ｄを支えることにより、回転軸が生じる。押しボタン４の角度移動によって、押しボタン４の直線的な接触面４ｃに沿ってフレーム３７のアーム３７ａがスライドすることにより、放出機構の中間手段のフレーム３７が長手方向に移動することが、図１５の拡大図に示される。
【０１１３】
押しボタン４の直線的な接触面４ｃからフレーム３７のアーム３７ａが横滑りすることを排除するために、フレーム３７のアーム３７ａの端部３７ｂがキャノピ形状で形成され、同時に、それと協働して、チップ放出モードにおいて、押しボタン４の直線的な接触面４ｃが、対応するキャノピ特性のノッチを有して形成される。
【０１１４】
中間手段のフレーム３７は、図１２に示されるハンドル１の誘導リブ１ｄおよび１ｅと、図５に示されるベアリングスリーブ１５の突合わせ舌１５ｃとの間で、長手方向に誘導される。そのような配置により、信頼できる態様で不都合な摩擦なく、ハンドル１中にフレーム３７が誘導される。イジェクタ２の押しボタン４の角度移動により、イジェクタ２のフレーム３７の長手移動が生じ、これは次にイジェクタ２のスリーブ３８の突合わせ面３８ａ上に伝えられる。図２に示されるように、スリーブ３８は、イジェクタ２とのネジ接続を介してネジ込まれる。さらに、下方への移動中に、イジェクタ２の下端は、その放出端によりノズル３からチップ８を押しやる。
【０１１５】
イジェクタ２は初期位置に戻り、これは、ユーザによってイジェクタ２の押しボタン４上に与えられる力の方向と反対方向にイジェクタ２のスリーブ３８上に働く、放出機構の伸縮バネによって確実にされる。
【０１１６】
放出機構のそのような構成上の解決により、ピペットイジェクタ２の大きい作用ストロークを得ることが可能となり、同時に、協働する校正要素のデザインのそれぞれ適切な選択の結果、チップ８を放出するのに不可欠の力が大きく減少する。
【０１１７】
放出機構の構造により、イジェクタ２の押しボタン４の回転角に対して、中間手段のフレーム３７の長手方向の移動の非直線的特性を得ることができる。この初期段階において、イジェクタ押しボタン４の角度移動によって、フレーム３７の小さい長手方向の移動が生じ、それによって、スリーブ３８は、ピペットノズル３からチップ８を放出するのに必要な力の値を実質的に減少させる。次に、ピペットユーザが力を与える点に向かって、イジェクタ２のフレーム３７のアーム３７ａの端部３７ｂが押しボタン４の直線的な接触面４ｃと接触する点を移動することにより、セカンドクラスレバーのてこの作用が減少し、同時に、イジェクタ２のフレーム３７の長手方向の移動の経路が増加する。したがって、チップ放出モードの終末段階において、本発明によるピペットにおいて、既知のピペットと比較して、ノズル３からのチップ８の取り外しが促進される
本発明によるピペットにおいて適用される放出機構は、その構成によりイジェクタ２の長い作用ストロークが提供され、ピペットが、吸上げ液体の所定の容積値について異なるデザインの広いポートフォリオのチップ８と協働することが可能となる。
【０１１８】
さらに、ピッティングモードにおいてピペットにより吸引された容積値の高い精度および信頼性を提供する必要性の認識から、ピペット内部の温度は一定でなければならない。しかしながら、ピペットによる長時間の操作の間、ピペットはユーザにより握られ、温められ、同時にピペット内部に含まれる空気もまた温められる。このことは、ピペット操作使用中のピペット精度偏差の変化に不都合な影響を与え、構成モードにおけるピペット精度偏差の修正が余儀なくされる。本発明のピペットにおいて、イジェクタ２の押しボタン４の角度移動を行う放出機構の改良された構造によって、チップ放出モードにおいてピペット内部で強制空気循環が生じる。これにより、温められた空気が冷たいものに交換され、度量衡のピペット精度が著しく増加する。
【０１１９】
本明細書に開示される放出機構は、ここに開示されるのと異なる構造の機械式ピペットにおいて、および特に異なるプランジャ作用ストローク調節機構、異なる係合機構、異なるカウンタ駆動機構および異なる構成機構を備えるピペットにおいて、並びに電動式ピペットにおいて、適用してもよい。
【０１２０】
本発明の上記の例示的実施の形態に基づいて、異なる変化、修正および改良が可能であるが、そのような変化、修正および改良は、本発明の概念および添付の特許請求の範囲に照らして明らかである。
【符号の説明】
【０１２１】
１      ハンドル
１ａ    下方溝
１ｂ    上方溝
１ｃ    円筒陥没
１ｄ    誘導リブ
１ｅ    誘導リブ
２      イジェクタ
３      ピペットノズル
４      （イジェクタ２の）押しボタン
５      調節ノブ
６      プラグ
７      ピペッティングボタン
８      チップ
９      スライダ
１０    カウンタカバー
１１    ピペッティングロッド
１２    調節ネジ
１３    上部ストップ
１４    調節スリーブ
１５    ベアリングスリーブ
１６    二重ギア
１７    クラッチギアホイール
１８    カウンタクラッチ
１９    カウンタバネ
２０    ワッシャ
２１    リボルバスリーブ
２２    リボルバ
２３    ピニオン
２４    カウンタ軸
２５    リボルバ
２６    ピニオン
２７    リボルバ
２８    ピニオン
２９    リボルバ
３０    カウンタカバー
３１    （弾性クリック３０ａの）バネ
３２    ロック
３３    プランジャ
３４    ブレーキスリーブ
３５    （ハンドル１の）カバー
３６    弾性要素
３７    （イジェクタ２の）フレーム
３８    （イジェクタ２の）スリーブ
３９    校正レンチ
【図１】
2016052657.tif 000003
【図２】
2016052657.tif 000004
【図３】
2016052657.tif 000005
【図４】
2016052657.tif 000006
【図５】
2016052657.tif 000007
【図６】
2016052657.tif 000008
【図７】
2016052657.tif 000009
【図８】
2016052657.tif 000010
【図９】
2016052657.tif 000011
【図１０】
2016052657.tif 000012
【図１１】
2016052657.tif 000013
【図１２】
2016052657.tif 000014
【図１３】
2016052657.tif 000015
【図１４】
2016052657.tif 000016
【図１５】
2016052657.tif 000017